(57)【要約】【課題】梁の曲げ強度を確保しつつ梁成を小さくして、階高を低く、梁下有効寸法を一定にできるプレキャストコンクリート造純ラーメンフレーム構造による板状型住宅建築物を提供する。【解決手段】建築物一側において桁行方向に一定間隔で並ぶ第１の柱１ａと、互いに隣接する第１の柱１ａ同士を連結する第１の梁１ｂと、建築物他側において桁行方向に第１の柱１ａに対応して並ぶ第２の柱２ａと、互いに隣接する第２の柱２ａ同士を連結する第２の梁２ｂと、梁間方向に対応する第１の柱１ａと第２の柱２ａとの間に設けた第３の柱３ａと、梁間方向に対応する第１の柱１ａと第３の柱３ａと第２の柱２ａとを連結する第３の梁３ｂとを備え、第１の柱１ａおよび第２の柱２ａは、桁行方向に長い矩形の水平断面形状を有し、第３の柱３ａは、梁間方向に長い矩形の水平断面形状を有する構成としている。【選択図】図１
0003187977.tif 000002
【実用新案登録請求の範囲】
【請求項１】
建築物一側において桁行方向に一定間隔で並ぶ周辺柱である第１の柱と、
互いに隣接する前記第１の柱同士を連結する第１の梁と、
建築物他側において桁行方向に前記第１の柱に対応して並ぶ周辺柱である第２の柱と、
互いに隣接する前記第２の柱同士を連結する第２の梁と、
梁間方向に対応する前記第１の柱と前記第２の柱との間に設けた中間柱である第３の柱と、
梁間方向に対応する前記第１の柱と前記第３の柱と前記第２の柱とを連結する第３の梁とを備え、
前記第１の柱および前記第２の柱は、全階にわたり水平断面が同一形状であり、
前記第３の柱は、全階にわたり水平断面が同一であり、
前記第１の梁、前記第２の梁および前記第３の梁は、全階にわたり垂直横断面が同一形状であるプレキャストコンクリート造建築物であって、
前記第１の柱および前記第２の柱は、桁行方向に長い矩形の水平断面形状を有し、
前記第３の柱は、梁間方向に長い矩形の水平断面形状を有することを特徴とするプレキャストコンクリート造純ラーメンフレーム構造による板状型住宅建築物。
【請求項２】
前記第３の梁は、梁中央部下面が前記第３の柱の上端部に載置されて上下の前記第３の柱と十字形に一体であり、両側の梁端が前記第１の柱および前記第２の柱の側面部の近くに延び、かつ前記第１の柱および前記第２の柱の側面部に備えている梁端連結部に従来工法により一体に接続された構成であることを特徴とする請求項１に記載のプレキャストコンクリート造純ラーメンフレーム構造による板状型住宅建築物。
【請求項３】
前記第１の梁および前記第２の梁は、梁中央部下面が前記第１の柱または前記第２の柱の上端部に載置されて上下の前記第１の柱または前記第２の柱と十字形に一体であり、両側の梁端が隣接する柱との中間位置まで延び、かつ梁端を隣接する柱から対向して延びてくる梁端が従来工法により一体に接続された構成であることを特徴とする請求項１または請求項２に記載のプレキャストコンクリート造純ラーメンフレーム構造による板状型住宅建築物。
【請求項４】
前記第１の梁、前記第２の梁および前記第３の梁に支持される床スラブ版に、桁行方向に延びる凹状の配管収容部を、梁間方向中央部に位置するよう形成したことを特徴とする請求項１ないし請求項３のいずれか１項に記載のプレキャストコンクリート造純ラーメンフレーム構造による板状型住宅建築物。
【考案の詳細な説明】
【技術分野】
【０００１】
本考案は、プレキャストコンクリート造純ラーメンフレーム構造による板状型住宅建築物（以下、プレキャストコンクリート造建築物とも呼称する）に関する。
【背景技術】
【０００２】
従来、桁行方向の架構である２構面の外周架構と、梁間方向の架構である耐震壁付ラーメン架構とを備えたプレキャストコンクリート造の集合住宅構造物が知られている。
【０００３】
外周架構は、外周柱、および隣接する外周柱を接続する外周梁により構成されている。また、耐震壁付ラーメン架構は、外周架構と共用する外周柱、外周架構の間に設けた耐震壁、および外周柱を接続する大梁により構成されている。
【０００４】
また、従来、耐震壁を用いないで、スラブ、梁、柱の施工をプレキャスト版からなる打込型枠を用いた集合住宅建築物も知られている（例えば、特許文献１参照）。
【先行技術文献】
【特許文献】
【０００５】
【特許文献１】特開２００５−１５５１７３号公報
【考案の概要】
【考案が解決しようとする課題】
【０００６】
しかしながら、上述の集合住宅構造物は、耐震壁を設置しているため、住戸間取りの柔軟な対応ができなかった。また、外周梁が所定の曲げ強度を有するよう外周梁の垂直横断面形状を、梁の長さや階数に応じて決定することになるため、梁成を小さく一定にし、階高を低く、梁下有効寸法を一定にすることが困難であった。
【０００７】
そこで、本考案は、上述したような従来の問題を解決するためになされたもので、従来のものと比較して、住戸間取りの柔軟性を向上させ、梁の曲げ強度を確保しつつ、梁成を小さく一定にし、階高を低く、梁下有効寸法を一定にできるプレキャストコンクリート造純ラーメンフレーム構造による板状型住宅建築物を提供することを目的としている。
【課題を解決するための手段】
【０００８】
本考案に係るプレキャストコンクリート造純ラーメンフレーム構造による板状型住宅建築物は、上記目的を達成するため、建築物一側において桁行方向に一定間隔で並ぶ周辺柱である第１の柱と、互いに隣接する前記第１の柱同士を連結する第１の梁と、建築物他側において桁行方向に前記第１の柱に対応して並ぶ周辺柱である第２の柱と、互いに隣接する前記第２の柱同士を連結する第２の梁と、梁間方向に対応する前記第１の柱と前記第２の柱との間に設けた中間柱である第３の柱と、梁間方向に対応する前記第１の柱と前記第３の柱と前記第２の柱とを連結する第３の梁とを備え、前記第１の柱および前記第２の柱は、全階にわたり水平断面が同一形状であり、前記第３の柱は、全階にわたり水平断面が同一であり、前記第１の梁、前記第２の梁および前記第３の梁は、全階にわたり垂直横断面が同一形状であるプレキャストコンクリート造建築物であって、前記第１の柱および前記第２の柱は、桁行方向に長い矩形の水平断面形状を有し、前記第３の柱は、梁間方向に長い矩形の水平断面形状を有する構成としている。
【０００９】
本考案に係るプレキャストコンクリート造純ラーメンフレーム構造による板状型住宅建築物は、周辺柱である第１の柱の水平断面形状を桁行方向に長い矩形として、第１の柱同士間における第１の梁の長さを、全階にわたり短くしている。また、本考案に係るプレキャストコンクリート造建築物は、周辺柱である第２の柱の水平断面形状を桁行方向に長い矩形として、第２の柱同士間における第２の梁の長さを、全階にわたり短くしている。
【００１０】
さらに、本考案に係るプレキャストコンクリート造純ラーメンフレーム構造による板状型住宅建築物は、中間柱である第３の柱の水平断面形状を梁間方向に長い矩形として、第１の柱と第３の柱との間、および第２の柱と第３の柱との間における第３の梁の長さを、全階にわたり短くしている。
【００１１】
このため、本考案のプレキャストコンクリート造純ラーメンフレーム構造による板状型住宅建築物は、第１の梁、第２の梁および第３の梁の曲げ強度を確保しつつ梁成を小さくして、プレキャストコンクリート造建築物の梁成を小さく一定にし、階高を低く、梁下有効寸法を一定にすることができる。さらに、本考案のプレキャストコンクリート造純ラーメンフレーム構造による板状型住宅建築物は、全階にわたり共通寸法の第１の柱、第２の柱、第３の柱、第１の梁、第２の梁および第３の梁を使用することができる。
【考案の効果】
【００１２】
本考案によれば、従来のものと比較して、住戸間取りの柔軟性が向上し、梁の曲げ強度を確保しつつ、梁成を小さく一定にし、階高を低く、梁下有効寸法を一定にできるプレキャストコンクリート造純ラーメンフレーム構造による板状型住宅建築物を提供することができる。
【図面の簡単な説明】
【００１３】
【図１】本考案の実施の形態に係るプレキャストコンクリート造建築物の柱・床梁伏図である。
【図２】本考案の実施の形態に係るプレキャストコンクリート造建築物の部分立断面図（図１におけるＡ−Ａ断面図）である。
【図３】本考案の実施の形態に係るプレキャストコンクリート造構造物における桁行方向視部分立断面図である。
【図４】本考案の実施の形態に係るプレキャストコンクリート造構造物における梁間方向視部分立断面図である。
【考案を実施するための形態】
【００１４】
以下、本考案に係るプレキャストコンクリート造純ラーメンフレーム構造による板状型住宅建築物の実施の形態について、図面を用いて説明する。
【００１５】
図１、図２に示すように、本実施の形態に係るプレキャストコンクリート造建築物Ｓは、高層建築物であり、廊下側架構１、バルコニー側架構２、区画架構３、床スラブ版４、廊下スラブ版５、バルコニースラブ版６および妻側スラブ版７を備えている。
【００１６】
廊下側架構１は、第１の柱１ａおよび第１の梁１ｂを含んで構成され、桁行方向に延びている。第１の柱１ａは、周辺柱であり、桁行方向に一定間隔で並ぶように設けられている。第１の柱１ａは、桁行方向に長い矩形の水平断面形状を有しており、プレキャストコンクリート造建築物Ｓの全階にわたり水平断面が同一形状になっている。
【００１７】
第１の梁１ｂは、互いに隣接する第１の柱１ａ同士を連結するよう、第１の柱１ａの上端部に載置されるとともに固定されている。すなわち、第１の柱１ａおよび第１の梁１ｂは、ラーメン構造の架構を構成している。また、第１の梁１ｂは、プレキャストコンクリート造建築物Ｓの全階にわたり垂直横断面が同一形状になっている。
【００１８】
バルコニー側架構２は、第２の柱２ａおよび第２の梁２ｂを含んで構成され、桁行方向に延びている。第２の柱２ａは、周辺柱であり、桁行方向に第１の柱１ａに対応して並ぶように設けられている。第２の柱２ａは、桁行方向に長い矩形の水平断面形状を有しており、プレキャストコンクリート造建築物Ｓの全階にわたり水平断面が同一形状になっている。
【００１９】
第２の梁２ｂは、互いに隣接する第２の柱２ａ同士を連結するよう、第２の柱２ａの上端部に載置されるとともに固定されている。すなわち、第２の柱２ａおよび第２の梁２ｂは、ラーメン構造の架構を構成している。また、第２の梁２ｂは、プレキャストコンクリート造建築物Ｓの全階にわたり垂直横断面が同一形状になっている。
【００２０】
図３に示すように、第１の梁１ｂおよび第２の梁２ｂは、梁中央部下面が第１の柱１ａまたは第２の柱２ａの上端部に載置され、上下の第１の柱１ａまたは第２の柱２ａと十字形に一体である。この十字形における両側の梁端は、隣接する第１の柱１ａまたは第２の柱２ａの中間位置まで延びている。そして、隣接する第１の柱１ａまたは第２の柱２ａから対向して延びてくる梁の端部は、従来工法により一体に接続された接続部１ｂ'または２ｂ'を構成している。
【００２１】
第１の柱１ａおよび第２の柱２ａは、水平断面形状が同一であり、全階層の階高が同一になるように設けられている。第１の柱１ａおよび第２の柱２ａは、水平断面形状が同一であるが、鉄筋の配筋量の相違により階層に対応して要求される強度を備えている。
【００２２】
区画架構３は、第１の柱１ａ、第２の柱２ａ、第３の柱３ａおよび第３の梁３ｂを含んで構成され、梁間方向に延びている。第３の柱３ａは、中間柱であり、梁間方向に対応する第１の柱１ａと第２の柱２ａとの間のそれぞれに設けられている。第３の柱３ａは、梁間方向に長い矩形の水平断面形状を有しており、プレキャストコンクリート造建築物Ｓの全階にわたり水平断面が同一形状になっている。
【００２３】
第３の梁３ｂは、梁間方向に対応する第１の柱１ａと第２の柱２ａとに接続され、第１の柱１ａおよび第２の柱２ａを連結している。さらに、第３の梁３ｂは、第３の柱３ａの上端部に載置されるとともに固定され、第１の柱１ａと第３の柱３ａと第２の柱２ａとを連結している。
【００２４】
すなわち、第１の柱１ａ、第２の柱２ａ、第３の柱３ａおよび第３の梁３ｂは、ラーメン構造の架構を構成している。また、第３の梁３ｂは、プレキャストコンクリート造建築物Ｓの全階にわたり垂直横断面が同一形状になっている。
【００２５】
図４に示すように、第３の梁３ｂは、梁中央部下面が第３の柱３ａの上端部に載置され、上下の第３の柱３ａと十字形に一体である。この十字形における両側の梁端は、隣接する第１の柱１ａ、第２の柱２ａの側面部の近くに延びている。そして、第３の柱３ａから延びてくる梁の端部は、第１の柱１ａ、第２の柱２ａの側面に形成された梁端連結部に対して、従来工法により一体に接続された接続部３ｂ'を構成している。
【００２６】
第１の梁１ｂ、第２の梁２ｂおよび第３の梁３ｂは、長手方向に対する垂直横断面形状が同一であり、したがって、各住戸の梁下寸法は同一になる。第１の梁１ｂ、第２の梁２ｂおよび第３の梁３ｂは、垂直横断面形状が同一であるが、鉄筋の配筋量の相違により階層に対応して要求される強度を備えている。
【００２７】
床スラブ版４は、第１の梁１ｂ、第２の梁２ｂおよび第３の梁３ｂによって囲まれる空間に形成されている。床スラブ版４は、下地であるハーフスラブ版４ａ〜４ｉと、ハーフスラブ版４ａ〜４ｉ上に打設したコンクリート層８とを含んで構成され、第１の梁１ｂ、第２の梁２ｂおよび第３の梁３ｂに支持されている。
【００２８】
ハーフスラブ版４ａ〜４ｉは、平板状に形成され、第１の梁１ｂから第２の梁２ｂに向けて並ぶように、互いに隣接する第３の梁３ｂの間に架設されている。また、ハーフスラブ版４ｄ〜４ｆは、上面部がハーフスラブ版４ａ〜４ｃ，４ｇ〜４ｉよりも下方に位置している。
【００２９】
これにより、床スラブ版４の梁間方向中央部に、桁行方向に延びる凹状の配管収容部Ｐが形成されるようになっている。また、第１の梁１ｂ、第２の梁２ｂ、第３の梁３ｂおよびハーフスラブ版４ａ〜４ｉは、コンクリート層８を打設すると、コンクリート層８に埋没することにより、一体化されるようになっている。
【００３０】
廊下スラブ版５は、第１の梁１ｂに沿って形成されている。廊下スラブ版５は、下地であるハーフスラブ版５ａと、ハーフスラブ版５ａ上に打設したコンクリート層９とを含んで構成され、第１の梁１ｂに支持されている。ハーフスラブ版５ａは、平板状に形成されている。また、第１の梁１ｂおよびハーフスラブ版５ａは、コンクリート層９を打設すると、コンクリート層９に埋没することにより、一体化されるようになっている。
【００３１】
バルコニースラブ版６は、第２の梁２ｂに沿って形成されている。バルコニースラブ版６は、下地であるハーフスラブ版６ａと、ハーフスラブ版６ａ上に打設したコンクリート層１０とを含んで構成され、第２の梁２ｂに支持されている。ハーフスラブ版６ａは、平板状に形成されている。また、第２の梁２ｂおよびハーフスラブ版６ａは、コンクリート層１０を打設すると、コンクリート層１０に埋没することにより、一体化されるようになっている。
【００３２】
妻側スラブ版７は、桁行方向一端側および他端側に位置する第３の梁３ｂに沿って形成されている。妻側スラブ版７は、下地である図示しないハーフスラブ版と、このハーフスラブ版上に打設した図示しないコンクリート層とを含んで構成され、第３の梁３ｂに支持されている。図示しないハーフスラブ版は、平板状に形成されている。また、第３の梁３ｂおよび図示しないハーフスラブ版は、図示しないコンクリート層を打設すると、コンクリート層に埋没することにより、一体化されるようになっている。
【００３３】
以上説明してきたように、本実施の形態に係るプレキャストコンクリート造建築物Ｓによれば、全階層にわたる、第１の柱１ａおよび第２の柱２ａの大きさ、第３の柱３ａの大きさ、第１の梁１ｂおよび第２の梁２ｂの大きさ、第３の梁３ｂの大きさ、それぞれを同一に構成している。このため、ＰＣ工法での柱や梁の製造に最小の型枠を設備すれば足りるとともに、製造された柱や梁の保管が容易になり、現場での搬入・組立においても、順不同で柱や梁を配置して組み立てていくことができて、工期を大幅に短縮できる。
【００３４】
次に、本実施の形態に係るプレキャストコンクリート造建築物Ｓの作用について説明する。
【００３５】
プレキャストコンクリート造建築物Ｓは、第１の梁１ｂ、第２の梁２ｂおよび第３の梁３ｂの長さを、柱断面形状が従来の正方形である場合に比べて、短縮することができる。
【００３６】
すなわち、第１の柱１ａおよび第２の柱２ａの水平断面形状が桁行方向に長い矩形であるから、柱断面形状が従来の正方形である場合に比べて、第１の柱１ａ同士間における第１の梁１ｂの長さＬ１を短縮することができ、また第２の柱２ａ同士間における第２の梁２ｂの長さＬ２を短縮することができる。さらに、第３の柱３ａの水平断面形状を梁間方向に長い矩形として、第１の柱１ａと第３の柱３ａとの間、および第２の柱２ａと第３の柱３ａとの間における第３の梁３ｂの長さＬ３を短縮することができる。
【００３７】
このため、本実施の形態に係るプレキャストコンクリート造建築物Ｓは、第１の梁１ｂ、第２の梁２ｂおよび第３の梁３ｂの曲げ強度を確保しつつ梁成を小さくすることができるから、プレキャストコンクリート造建築物Ｓの各階高を例えば５ｃｍずつ低くすることができる。
【００３８】
また、本実施の形態に係るプレキャストコンクリート造建築部Ｓは、耐震壁を必要とせず、建物全体の重量が小さくなり、柱や梁を小さくできるだけでなく、面材についても小さくできるので、建築コストの低減が図れる。
【００３９】
さらに、本実施の形態に係るプレキャストコンクリート造建築物Ｓは、全階にわたり共通寸法の第１の柱１ａ、第２の柱２ａ、第３の柱３ａ、第１の梁１ｂ、第２の梁２ｂおよび第３の梁３ｂを使用することができるので、建築コストの低減が図れる。
【００４０】
プレキャストコンクリート造建築物Ｓは、床スラブ版４の梁間方向中央部に、桁行方向に延びる凹状の配管収容部Ｐを形成している。
【００４１】
このため、本実施の形態に係るプレキャストコンクリート造建築物Ｓは、配管設備を配管収容部Ｐに収容することにより、住戸の床を平坦化してバリアフリーに対応することができる。
【００４２】
なお、本考案に係るプレキャストコンクリート造純ラーメンフレーム構造による板状型住宅建築物の技術的範囲は、上述した実施の形態に限定されるものでなく、本考案の範囲を逸脱しない限り、実用新案登録請求の範囲に記載した各構成要素の種々の変更を含むものである。
【００４３】
以上のように、本考案に係るプレキャストコンクリート造純ラーメンフレーム構造による板状型住宅建築物は、梁の曲げ強度を確保しつつ梁成を小さくして、階高を低く、梁下有効寸法を一定にできるという効果を奏するもので、高層集合住宅に有用である。
【符号の説明】
【００４４】
１ａ  第１の柱
１ｂ  第１の梁
２ａ  第２の柱
２ｂ  第２の梁
３ａ  第３の柱
３ｂ  第３の梁
４  床スラブ版
Ｐ  配管収容部
Ｓ  プレキャストコンクリート造建築物
【図１】
0003187977.tif 000003
【図２】
0003187977.tif 000004
【図３】
0003187977.tif 000005
【図４】
0003187977.tif 000006
【手続補正書】
【提出日】平成25年10月9日(2013.10.9)
【手続補正１】
【補正対象書類名】明細書
【補正対象項目名】００３８
【補正方法】変更
【補正の内容】
【００３８】
また、本実施の形態に係るプレキャストコンクリート造建築物Ｓは、耐震壁を必要とせず、建物全体の重量が小さくなり、柱や梁を小さくできるだけでなく、面材についても小さくできるので、建築コストの低減が図れる。